(57)【要約】【課題】左右のイヤーピース間の信号ケーブルを用いることなくステレオ音声信号の再生が可能な、ステレオワイヤレスヘッドホンシステムを提供する。【解決手段】ステレオ音声信号を無線信号により伝送するステレオワイヤレスヘッドホンシステムであって、ステレオ信号を同一周波数の無線信号により送信する送信装置と、前記送信装置からのステレオ音声信号で変調された無線信号を受信する受信手段、および、前記受信手段で復調されたステレオ音声信号を右音声のみ出力する電気音響変換素子を備えた右用イヤーピースと、前記右用イヤーピースと独立した状態で構成され、前記送信装置からのステレオ音声信号で変調された無線信号を受信する受信手段、および、前記受信手段で復調されたステレオ音声信号を左音声のみ出力する電気音響変換素子を備えた左用イヤーピースと、を備えたことを特徴とする。【選択図】図１
2008153736.tif 000002
【特許請求の範囲】
【請求項１】
ステレオ音声信号を無線信号により伝送するステレオワイヤレスヘッドホンシステムであって、
ステレオ信号を同一周波数の無線信号により送信する送信装置と、
前記送信装置からのステレオ音声信号で変調された無線信号を受信する受信手段、および、前記受信手段で復調されたステレオ音声信号を右音声のみ出力する電気音響変換素子を備えた右用イヤーピースと、
前記右用イヤーピースと独立した状態で構成され、前記送信装置からのステレオ音声信号で変調された無線信号を受信する受信手段、および、前記受信手段で復調されたステレオ音声信号を左音声のみ出力する電気音響変換素子を備えた左用イヤーピースと、
を備えたことを特徴とするステレオワイヤレスヘッドホンシステム。
【請求項２】
ステレオ音声信号を無線信号により伝送するステレオワイヤレスヘッドホンシステムであって、
ステレオ信号を同一周波数の無線信号により送信すると共に右用イヤーピースと左用イヤーピースとからの無線信号を受信する機能を備えた送信装置と、
前記送信装置からのステレオ音声信号で変調された無線信号を受信する受信手段、前記送信装置に対して送信を行う送信手段、および、前記受信手段で復調されたステレオ音声信号を右音声のみ出力する電気音響変換素子を備えた右用イヤーピースと、
前記右用イヤーピースと独立した状態で構成され、前記送信装置からのステレオ音声信号で変調された無線信号を受信する受信手段、前記送信装置に対して送信を行う送信手段、および、前記受信手段で復調されたステレオ音声信号を左音声のみ出力する電気音響変換素子を備えた左用イヤーピースと、
を備え、
前記右用イヤーピースと前記左用イヤーピースとは、前記送信装置から送られてくるステレオ音声信号を受信した後に前記送信装置に対して受信状況通知信号を送信する機能を有し、
前記送信装置は、前記右用イヤーピースと前記左用イヤーピースとにステレオ音声信号を送信し、前記右用イヤーピースから返信された前記受信状況通知信号と前記左用イヤーピースから返信された受信状況通知信号とにより、前記右用イヤーピースと前記左用イヤーピースの各受信エラーレート状況を確認し、受信状況に応じて前記ステレオ音声信号を再送する、
ことを特徴とするステレオワイヤレスヘッドホンシステム。
【請求項３】
ステレオ信号を同一周波数の無線信号により送信装置から送信し、この送信装置から無線信号により送信されるステレオ音声信号を受信するステレオワイヤレスヘッドホンであって、
前記送信装置からのステレオ音声信号で変調された無線信号を受信する受信手段、および、前記受信手段で復調されたステレオ音声信号を右音声のみ出力する電気音響変換素子を備えた右用イヤーピースと、
前記右用イヤーピースと独立した状態で構成され、前記送信装置からのステレオ音声信号で変調された無線信号を受信する受信手段、および、前記受信手段で復調されたステレオ音声信号を左音声のみ出力する電気音響変換素子を備えた左用イヤーピースと、
を備えたことを特徴とするステレオワイヤレスヘッドホン。
【請求項４】
送信装置から右用イヤーピースと左用イヤーピースとにステレオ音声信号を送信し、前記右用イヤーピースから返信された前記受信状況通知信号と前記左用イヤーピースから返信された受信状況通知信号とにより前記右用イヤーピースと前記左用イヤーピースの各受信エラーレート状況を確認し、受信状況に応じて前記ステレオ音声信号を再送することを特徴とした送信装置から、無線信号により送信されるステレオ音声信号を受信するステレオワイヤレスヘッドホンであって、
前記送信装置からのステレオ音声信号で変調された無線信号を受信する受信手段、前記送信装置に対して送信を行う送信手段、および、前記受信手段で復調されたステレオ音声信号を右音声のみ出力する電気音響変換素子を備えた右用イヤーピースと、
前記右用イヤーピースと独立した状態で構成され、前記送信装置からのステレオ音声信号で変調された無線信号を受信する受信手段、前記送信装置に対して送信を行う送信手段、および、前記受信手段で復調されたステレオ音声信号を左音声のみ出力する電気音響変換素子を備えた左用イヤーピースと、
を備え、
前記右用イヤーピースと前記左用イヤーピースとは、前記送信装置から送られてくるステレオ音声信号を受信した後に前記送信装置に対して受信状況通知信号を送信する機能を有する、
ことを特徴とするステレオワイヤレスヘッドホン。
【発明の詳細な説明】
【技術分野】
【０００１】
本発明は、ステレオ音声信号を無線信号により伝送するステレオワイヤレスヘッドホンシステム、および、該ステレオワイヤレスヘッドホンシステム用のステレオワイヤレスヘッドホンに関する。
【背景技術】
【０００２】
オーディオ装置として、小型軽量のポータブル音楽再生機器が存在している。この出力のポータブル音楽再生機器は、歩行中や、通勤時、あるいは、運動中などに使用されることがある。
【０００３】
そして、このようなポータブル音楽再生機器に対してワイヤードの通常のヘッドホンが用いられる場合も多いが、ワイヤレスヘッドホンを用いると更に便利である。すなわち、ワイヤレスヘッドホンでは、ポータブル音楽再生機器とヘッドホンとの間の接続ケーブルを意識しなくて済むため、便利である。
【０００４】
なお、このようなステレオワイヤレスヘッドホンシステムとしては、たとえば、以下の特許文献１に記載されたものが存在している。
【特許文献１】特開平07-087583号公報（第１頁、図１）
【発明の開示】
【発明が解決しようとする課題】
【０００５】
以上の特許文献１記載のステレオワイヤレスヘッドホンシステム、あるいは、通常のステレオワイヤレスヘッドホンシステムでは、右用音声信号と左用音声信号とが１つの無線信号（赤外線信号を含む）として送信装置から送信されており、右用のイヤーピースと左用のイヤーピースとのいずれか一方に受信回路が配置され、該受信回路で復調した右用音声信号と左用音声信号とを左右のイヤーピースに供給している。すなわち、右用のイヤーピースと左用のイヤーピースとは音声信号を伝達する信号ケーブルにより接続されている。
【０００６】
このような場合、収納時あるいは取り出し時に、左右のイヤーピース間の信号ケーブルが絡み合って不便を生じる。また、使用時にも、左右のイヤーピース間の信号ケーブルが体に接触して、利用者に不快感を与えることがある。
【０００７】
本発明は、以上のような課題を解決するためになされたものであって、左右のイヤーピース間の信号ケーブルを用いることなくステレオ音声信号の再生が可能な、ステレオワイヤレスヘッドホンシステムおよびステレオワイヤレスヘッドホンを提供することを目的とする。
【課題を解決するための手段】
【０００８】
以上の課題を解決する本発明は、以下に記載するようなものである。
（１）請求項１記載の発明は、ステレオ音声信号を無線信号により伝送するステレオワイヤレスヘッドホンシステムであって、ステレオ信号を同一周波数の無線信号により送信する送信装置と、前記送信装置からのステレオ音声信号で変調された無線信号を受信する受信手段、および、前記受信手段で復調されたステレオ音声信号を右音声のみ出力する電気音響変換素子を備えた右用イヤーピースと、前記右用イヤーピースと独立した状態で構成され、前記送信装置からのステレオ音声信号で変調された無線信号を受信する受信手段、および、前記受信手段で復調されたステレオ音声信号を左音声のみ出力する電気音響変換素子を備えた左用イヤーピースと、を備えたことを特徴とするステレオワイヤレスヘッドホンシステムである。
【０００９】
（２）請求項２記載の発明は、ステレオ音声信号を無線信号により伝送するステレオワイヤレスヘッドホンシステムであって、ステレオ信号を同一周波数の無線信号により送信すると共に右用イヤーピースと左用イヤーピースとからの無線信号を受信する機能を備えた送信装置と、前記送信装置からのステレオ音声信号で変調された無線信号を受信する受信手段、前記送信装置に対して送信を行う送信手段、および、前記受信手段で復調されたステレオ音声信号を右音声のみ出力する電気音響変換素子を備えた右用イヤーピースと、前記右用イヤーピースと独立した状態で構成され、前記送信装置からのステレオ音声信号で変調された無線信号を受信する受信手段、前記送信装置に対して送信を行う送信手段、および、前記受信手段で復調されたステレオ音声信号を左音声のみ出力する電気音響変換素子を備えた左用イヤーピースと、を備え、前記右用イヤーピースと前記左用イヤーピースとは、前記送信装置から送られてくるステレオ音声信号を受信した後に前記送信装置に対して受信状況通知信号を送信する機能を有し、前記送信装置は、前記右用イヤーピースと前記左用イヤーピースとにステレオ音声信号を送信し、前記右用イヤーピースから返信された前記受信状況通知信号と前記左用イヤーピースから返信された受信状況通知信号とにより、前記右用イヤーピースと前記左用イヤーピースの各受信エラーレート状況を確認し、受信状況に応じて前記ステレオ音声信号を再送する、ことを特徴とするステレオワイヤレスヘッドホンシステムである。
【００１０】
（３）請求項３記載の発明は、ステレオ信号を同一周波数の無線信号により送信装置から送信し、この送信装置から無線信号により送信されるステレオ音声信号を受信するステレオワイヤレスヘッドホンであって、前記送信装置からのステレオ音声信号で変調された無線信号を受信する受信手段、および、前記受信手段で復調されたステレオ音声信号を右音声のみ出力する電気音響変換素子を備えた右用イヤーピースと、前記右用イヤーピースと独立した状態で構成され、前記送信装置からのステレオ音声信号で変調された無線信号を受信する受信手段、および、前記受信手段で復調されたステレオ音声信号を左音声のみ出力する電気音響変換素子を備えた左用イヤーピースと、を備えたことを特徴とするステレオワイヤレスヘッドホンである。
【００１１】
（４）請求項４記載の発明は、送信装置から右用イヤーピースと左用イヤーピースとにステレオ音声信号を送信し、前記右用イヤーピースから返信された前記受信状況通知信号と前記左用イヤーピースから返信された受信状況通知信号とにより前記右用イヤーピースと前記左用イヤーピースの各受信エラーレート状況を確認し、受信状況に応じて前記ステレオ音声信号を再送することを特徴とした送信装置から、無線信号により送信されるステレオ音声信号を受信するステレオワイヤレスヘッドホンであって、前記送信装置からのステレオ音声信号で変調された無線信号を受信する受信手段、前記送信装置に対して送信を行う送信手段、および、前記受信手段で復調されたステレオ音声信号を右音声のみ出力する電気音響変換素子を備えた右用イヤーピースと、前記右用イヤーピースと独立した状態で構成され、前記送信装置からのステレオ音声信号で変調された無線信号を受信する受信手段、前記送信装置に対して送信を行う送信手段、および、前記受信手段で復調されたステレオ音声信号を左音声のみ出力する電気音響変換素子を備えた左用イヤーピースと、を備え、前記右用イヤーピースと前記左用イヤーピースとは、前記送信装置から送られてくるステレオ音声信号を受信した後に前記送信装置に対して受信状況通知信号を送信する機能を有する、ことを特徴とするステレオワイヤレスヘッドホンである。
【発明の効果】
【００１２】
本発明によれば、以下のような効果が得られる。
（１）請求項１記載のステレオワイヤレスヘッドホンシステムの発明では、ステレオ音声信号を無線信号により伝送する際に、ステレオ信号を同一周波数の無線信号により送信装置から送信し、送信装置からのステレオ音声信号で変調された無線信号を右用イヤーピースで受信して右音声のみ出力し、送信装置からのステレオ音声信号で変調された無線信号を左用イヤーピースで受信して左音声のみ出力する。ここで、右用イヤーピースと左用イヤーピースとはそれぞれが独立した状態で動作するように構成されており、信号ケーブルによる接続は存在しない。
【００１３】
すなわち、左右のイヤーピース間の信号ケーブルを用いることがないため、左右を接続する信号ケーブルによる絡み合いや、左右を接続する信号ケーブルによる利用者への接触が発生せず、快適な状態でステレオ音声信号の再生が可能なステレオワイヤレスヘッドホンシステムを実現することができる。
【００１４】
（２）請求項２記載のステレオワイヤレスヘッドホンシステムの発明では、ステレオ音声信号を無線信号により伝送する際に、ステレオ信号を同一周波数の無線信号により送信装置から送信し、送信装置からのステレオ音声信号で変調された無線信号を右用イヤーピースで受信して右音声のみ出力し、送信装置からのステレオ音声信号で変調された無線信号を左用イヤーピースで受信して左音声のみ出力する。ここで、右用イヤーピースと左用イヤーピースとはそれぞれが独立した状態で動作するように構成されており、信号ケーブルによる接続は存在しない。
【００１５】
すなわち、左右のイヤーピース間の信号ケーブルを用いることがないため、左右を接続する信号ケーブルによる絡み合いや、左右を接続する信号ケーブルによる利用者への接触が発生せず、快適な状態でステレオ音声信号の再生が可能なステレオワイヤレスヘッドホンシステムを実現することができる。
【００１６】
また、送信装置は、右用イヤーピースと左用イヤーピースとにステレオ音声信号を送信し、右用イヤーピースから返信された前記受信状況通知信号と左用イヤーピースから返信された受信状況通知信号とにより、右用イヤーピースと左用イヤーピースの各受信エラーレート状況を確認し、受信状況に応じて前記ステレオ音声信号を再送する。
【００１７】
これにより、左右いずれかの受信エラーレートが悪化しても、送信装置から再送されたステレオ音声信号により、良好なステレオ音声信号の再生が可能になる。
（３）請求項３記載のステレオワイヤレスヘッドホンの発明では、ステレオ音声信号を無線信号により伝送する際に、ステレオ信号を同一周波数の無線信号により送信装置から送信し、送信装置からのステレオ音声信号で変調された無線信号を右用イヤーピースで受信して右音声のみ出力し、送信装置からのステレオ音声信号で変調された無線信号を左用イヤーピースで受信して左音声のみ出力する。ここで、右用イヤーピースと左用イヤーピースとはそれぞれが独立した状態で動作するように構成されており、信号ケーブルによる接続は存在しない。
【００１８】
すなわち、左右のイヤーピース間の信号ケーブルを用いることがないため、左右を接続する信号ケーブルによる絡み合いや、左右を接続する信号ケーブルによる利用者への接触が発生せず、快適な状態でステレオ音声信号の再生が可能なステレオワイヤレスヘッドホンを実現することができる。
【００１９】
（４）請求項４記載のステレオワイヤレスヘッドホンの発明では、ステレオ音声信号を無線信号により伝送する際に、ステレオ信号を同一周波数の無線信号により送信装置から送信し、送信装置からのステレオ音声信号で変調された無線信号を右用イヤーピースで受信して右音声のみ出力し、送信装置からのステレオ音声信号で変調された無線信号を左用イヤーピースで受信して左音声のみ出力する。ここで、右用イヤーピースと左用イヤーピースとはそれぞれが独立した状態で動作するように構成されており、信号ケーブルによる接続は存在しない。
【００２０】
すなわち、左右のイヤーピース間の信号ケーブルを用いることがないため、左右を接続する信号ケーブルによる絡み合いや、左右を接続する信号ケーブルによる利用者への接触が発生せず、快適な状態でステレオ音声信号の再生が可能なステレオワイヤレスヘッドホンを実現することができる。
【００２１】
また、送信装置は、右用イヤーピースと左用イヤーピースにステレオ音声信号を送信し、右用イヤーピースから返信された前記受信状況通知信号と左用イヤーピースから返信された受信状況通知信号とにより、右用イヤーピースと左用イヤーピースの各受信エラーレート状況を確認し、受信状況に応じて前記ステレオ音声信号を再送する。
【００２２】
これにより、左右いずれかの受信エラーレートが悪化しても、送信装置から再送されたステレオ音声信号により、良好なステレオ音声信号の再生が可能になる。
【発明を実施するための最良の形態】
【００２３】
以下、図面を参照して本発明を実施するための最良の形態（以下、実施形態）を詳細に説明する。
〈第一実施形態〉
図１は本発明の実施形態のステレオワイヤレスヘッドホンシステムの電気的な構成を示す説明図である。また、図２は本発明の実施形態のステレオワイヤレスヘッドホンシステムで使用されるステレオワイヤレスヘッドホンの機械的な構成の一例を示す説明図である。
【００２４】
本実施形態のステレオワイヤレスヘッドホンシステムは、ステレオ音声信号を無線信号により伝送する送信装置１００と、送信装置１００からの無線信号を受信して右音声のみを出力する右用イヤーピース２００と、送信装置１００からの無線信号を受信して左音声のみを出力する左用イヤーピース３００と、から構成されている。
【００２５】
ここで、送信装置１００は、右音声信号と左音声信号とからなるステレオ音声信号を無線信号により伝送する際に、ステレオ信号を同一周波数の無線信号により送信する機能を備えており、各部を制御する制御部１０１と、ステレオ音声信号を別々の周波数の無線信号として送信する送信部１１０と、無線信号を輻射するアンテナ１２０と、を備えて構成されている。
【００２６】
さらに、この送信装置１００は、右用イヤーピース２００と左用イヤーピース３００とからの無線信号を受信する機能を備えており、無線信号を受信するアンテナ１３０と、受信部１４０と、を構成されている。
【００２７】
この場合、制御部１０１は、右用イヤーピース２００から返信された受信状況通知信号と左用イヤーピースから返信された受信状況通知信号により、右用イヤーピース２００と左用イヤーピース３００の各受信エラーレート状況を確認し、受信状況に応じて前記ステレオ音声信号を再送する制御を行う。
【００２８】
また、送信装置１００は、送信装置１００内の各部への電源供給を行うため、ならびに、非使用状態において右用イヤーピース２００と左用イヤーピース３００との内蔵バッテリーを充電するため、電源部１８０を備えて構成されている。なお、アンテナ１２０とアンテナ１３０とは、共用することが可能である。
【００２９】
右用イヤーピース２００は、信号ケーブルによる左用イヤーピース３００との接続は存在しない状態で左用イヤーピース３００と独立した状態で構成されており、送信装置１００からのステレオ音声信号で変調された無線信号を受信して右音声のみ出力する機能を有し、無線信号を受信するアンテナ２１０と、送信装置１００からの無線信号を受信し復調する受信部２２０と、エラー訂正処理などの各種信号処理を行う信号処理部２３０と、信号処理されたステレオ音声信号を右音声のみ出力するドライバユニットとしての電気音響変換素子２４０と、充電式の電池などによる電源部２８０と、を備えて構成されている。
【００３０】
また、右用イヤーピース２００は、送信装置１００からステレオ音声信号を受信した後、送信装置１００に対して受信状況通知信号を送信（返信）する機能を有し、信号処理部２３０で処理されたステレオ音声信号のエラー状況（受信エラーレート状況）を送信装置１００に向けて送信する送信部２５０と、無線信号を送信するアンテナ２６０と、を備えて構成されている。
【００３１】
なお、この右用イヤーピース２００では、図２に示されるように、回路部２０１として、受信部２２０，信号処理部２３０，送信部２５０を備えて構成されている。また、アンテナ２１０とアンテナ２６０とは共用することが可能であり、また、チップ部品や基板パターンを用いることで、アンテナを回路部２０１として構成することが可能である。
【００３２】
左用イヤーピース３００は、信号ケーブルによる右用イヤーピース２００との接続は存在しない状態で右用イヤーピース２００と独立した状態で構成されており、送信装置１００からのステレオ音声信号で変調された無線信号を受信して左音声のみ出力する機能を有し、無線信号を受信するアンテナ３１０と、送信装置１００からの無線信号を受信し復調する受信部３２０と、エラー訂正処理などの各種信号処理を行う信号処理部３３０と、信号処理されたステレオ音声信号を左音声のみ出力するドライバユニットとしての電気音響変換素子３４０と、充電式の電池などによる電源部３８０と、を備えて構成されている。
【００３３】
また、左用イヤーピース３００は、送信装置１００からステレオ音声信号を受信した後、送信装置１００に対して受信状況通知信号を送信（返信）する機能を有し、信号処理部３３０で処理されたステレオ音声信号のエラー状況（受信エラーレート状況）を送信装置１００に向けて送信する送信部３５０と、無線信号を送信するアンテナ３６０と、を備えて構成されている。
【００３４】
なお、この左用イヤーピース３００では、図２に示されるように、回路部３０１として、受信部３２０，信号処理部３３０，送信部３５０を備えて構成されている。また、アンテナ３１０とアンテナ３６０とは共用することが可能であり、また、チップ部品や基板パターンを用いることで、アンテナを回路部３０１として構成することが可能である。
【００３５】
なお、図示しないが、送信装置１００は、右用イヤーピース２００と左用イヤーピース３００とを収容する凹部を備えていて、該凹部に右用イヤーピース２００と左用イヤーピース３００とを収容することで、電源部１８０から電源部２８０および電源部３８０への充電を行うように構成することも、可能である。
【００３６】
以下、図３のフローチャートを参照して、本実施形態のステレオワイヤレスヘッドホンシステムおよびステレオワイヤレスヘッドホンについて説明を行う。ここで、図３はステレオワイヤレスヘッドホンシステムの送信装置１００の制御部１０１の制御状態を示している。
【００３７】
まず、送信装置１００の電源スイッチ（図示せず）が利用者によりオンされる（図３中のステップＳ１）。この電源オンにより、制御部１０１は右用イヤーピース２００および左用イヤーピース３００に対し、サーチを開始する（図３中のステップＳ２）。
【００３８】
ここで、制御部１０１は、受信部１４０で右用イヤーピース２００および左用イヤーピース３００からの返信を受信し、左右とも受信状況が良好なチャンネルを探し、送受信周波数を決定する（図３中のステップＳ３）。
【００３９】
ここで、送信装置１００のサーチとは、全チャンネルにて送信した結果、右用イヤーピース２００および左用イヤーピース３００から応答があるかどうかを確認する作業である。
【００４０】
すなわち、送信装置１００から時分割にて全チャンネルを切り替えながら送受信し、右用イヤーピース２００および左用イヤーピース３００では、時分割にて全チャンネルを切り替えながら送受信する。ここで、送信装置１００側と右用イヤーピース２００および左用イヤーピース３００側とでは、切り替え時間、および各々の送信時間、受信時間は異なり、送信装置１００は高速でのチャンネル切り替えで、送信時間は長く、受信時間は短いものであり、右用イヤーピース２００および左用イヤーピース３００側は低速でのチャンネル切り替えで、送信時間は短く、受信時間は長い。この差により、送信装置１００側と右用イヤーピース２００および左用イヤーピース３００側の同期がとれる箇所がでてくるため、同期が取れるチャンネルにて、右用イヤーピース２００および左用イヤーピース３００は送信装置１００からの無線信号を受けたらＩＤなどを送信をする。そして、送信装置１００が、右用イヤーピース２００および左用イヤーピース３００からの無線信号を受信し、ペアリング済みのＩＤであるなら、そのチャンネルでの送受信を行うように決定する。また、送信装置１００の動作に追従し、右用イヤーピース２００および左用イヤーピース３００側は同期をとりながら送受信を行う。
【００４１】
このような双方向通信により送受信周波数を決定した後、制御部１０１は、外部の再生機器から入力されるステレオ信号を、決定した周波数の無線信号により送信装置１００から送信させる（図３中のステップＳ４）。
【００４２】
この場合、送信部１１０は、ステレオ音声信号をＡ−Ｄ変換し、所定のエラー訂正信号を付加した状態で、送信を行う。
ここで、右用イヤーピース２００では、受信部２２０で受信したデータを復調し、信号処理部２３０で所定のエラー訂正処理やショックプルーフ処理などを実行しつつ、受信データをＤ−Ａ変換し、ステレオ音声信号を抽出する。そして、このステレオ音声信号の右音声信号のみを電気音響変換素子２４０から出力する。
【００４３】
また、左用イヤーピース３００では、受信部３２０で受信したデータを復調し、信号処理部３３０で所定のエラー訂正処理やショックプルーフ処理などを実行しつつ、受信データをＤ−Ａ変換し、ステレオ音声信号を抽出する。そして、このステレオ音声信号の左音声信号のみを電気音響変換素子３４０から出力する。
【００４４】
なお、ショックプルーフ処理とは、一定の時間電波が途切れたとしても、音声が途切れることのないように、規定した時間分の受信データをバッファメモリに格納しておいて、バッファメモリから出力される受信データをＤ−Ａ変換して音声信号を抽出する手法である。
【００４５】
なお、本実施形態では、このショックプルーフ処理のメモリ格納・メモリ読み出しを右用イヤーピース２００と左用イヤーピース３００とで独立しているが、右用イヤーピース２００および左用イヤーピース３００の出力音声信号は、送信装置１００へ入力されているステレオ音声信号に対して、送信装置１００において予め規定した時間分を遅延させているため、右用イヤーピース２００と左用イヤーピース３００の音声信号の時間差は発生しない。
【００４６】
右用イヤーピース２００では、受信部２２０で受信し、信号処理部２３０で信号処理を実行し、ショックプルーフ処理を通過した後に、受信状況通知信号を送信部２５０から送信装置１００に送信する。同様にして、左用イヤーピース３００では、受信部３２０で受信し、信号処理部３３０で信号処理を実行し、ショックプルーフ処理を通過した後に、受信状況通知信号を送信部３５０から送信装置１００に送信する。
【００４７】
この受信状況通知信号の返信を受けた（図３中のステップＳ５）送信装置１００では、右用イヤーピース２００と左用イヤーピース３００の各受信エラーレート状況を確認する（図３中のステップＳ６）。
【００４８】
右用イヤーピース２００および左用イヤーピース３００の各受信状況が良く、受信エラーレートが悪化しない場合（図３中のステップＳ７でＮ）、つまり右用イヤーピース２００および左用イヤーピース３００のそれぞれのメモリに格納されている音声信号が規定時間分ある場合には、電源オフや終了の指示が利用者からあるまで、送信装置１００はステレオ音声信号送信、受信状況通知信号受信、受信エラーレート状況確認（図３中のステップＳ４、Ｓ５、Ｓ６、Ｓ７）の処理を繰り返し実行する。
【００４９】
一方、右用イヤーピース２００および左用イヤーピース３００の各受信状況が悪く、受信エラーレートが悪化している場合（図３中のステップＳ７でＹ）、つまり右用イヤーピース２００および左用イヤーピース３００のそれぞれのメモリに格納されている音声信号が規定時間分より少なくなる場合には、送信装置１００からステレオ音声信号を再送する（図３中のステップＳ８）。
【００５０】
そして、電源オフや終了の指示が利用者からあるまで、送信装置１００はステレオ音声信号送信、受信状況通知信号受信、受信エラーレート状況確認、ステレオ音声信号再送（図３中のステップＳ４、Ｓ５、Ｓ６、Ｓ７、Ｓ８）の処理を繰り返し実行する。
【００５１】
送信装置１００と右用イヤーピース２００および左用イヤーピース３００との無線通信で使用する送受信周波数は、全ての装置で共用し、送信と受信とは時分割で行う。
また、送信装置１００から送信されるステレオ音声信号はディジタルデータのパケットとして送信されており、受信エラーレート状況が悪化しなときと悪化したときとでは、上述した再送によりパケット量が変化する。すなわち、受信エラーレート状況が悪化した場合には、悪化しない場合に比べて、パケット量が多くなる。
【００５２】
なお、送受信周波数については、周囲での同種の機器や電子レンジや無線ＬＡＮなどの各種機器が放射する電波による受信エラーレート悪化をトリガとして、送受信周波数の変更を適宜行う（図３中のステップＳ１０）。この場合も、上述した送信装置１００のサーチによって送受信周波数を決定する。
【００５３】
また、電源オフに関しては、送信装置１００の電源スイッチが利用者によりオフされてもよいし、電源スイッチの代わりに、入力音声信号の停止、収納ケース兼用送信装置１００に対するイヤーピースの収納、左右イヤーピースとの接続不可などをトリガとして、制御部１０１が動作停止を決定してもよい。
【００５４】
以上の実施形態のステレオワイヤレスヘッドホンシステムによれば、ステレオ音声信号を無線信号により伝送する際に、ステレオ信号を同一周波数の無線信号により送信装置１００から送信し、送信装置１００からのステレオ音声信号で変調された無線信号を右用イヤーピース２００で受信して右音声のみ出力し、送信装置１００からのステレオ音声信号で変調された無線信号を左用イヤーピース３００で受信して左音声のみ出力しており、右用イヤーピース２００と左用イヤーピース３００とはそれぞれが独立した状態で動作するように構成されており、信号ケーブルによる接続が存在しないため、左右を接続する信号ケーブルによる絡み合いや、左右を接続する信号ケーブルによる利用者への接触が発生せず、快適な状態でステレオ音声信号の再生が可能になる。
【００５５】
また、以上の実施形態のステレオワイヤレスヘッドホンシステムでは、送信装置１００は、右用イヤーピース２００および左用イヤーピース３００にステレオ音声信号を送信した後、右用イヤーピース２００から返信された受信状況通知信号と左用イヤーピース３００から返信された受信状況通知信号により、右用イヤーピース２００と左用イヤーピース３００の各受信エラーレート状況を確認し、受信状況に応じてステレオ音声信号を再送する。これにより、左右いずれかの受信エラーレートが悪化しても、送信装置１００から再送されたステレオ音声信号により、良好なステレオ音声信号の再生が可能になる。
【００５６】
なお、以上の実施形態において、図２ではいわゆるイヤホン形状のもが左右独立したステレオワイヤレスヘッドホンを示したが、この形状に限定されるものではなく、左右独立したインナーイヤー（インイヤー）タイプ、左右独立した耳かけタイプなど、各種の形状を採用することができる。
【００５７】
また、左右のいずれか一方のイヤーピース部にマイクを備え、いわゆるイヤホンマイクとして使用可能なものであってもよい。この場合には、左右のイヤーピースのいずれか一方にマイクを備えることで、左右の形状が非対称なものとなる。
【図面の簡単な説明】
【００５８】
【図１】本発明の実施形態のステレオワイヤレスヘッドホンシステムの構成を示す構成図である。
【図２】本発明の実施形態のステレオワイヤレスヘッドホンの構成を示す説明図である。
【図３】本発明の実施形態のステレオワイヤレスヘッドホンシステムの動作状態を示すフローチャートである。
【符号の説明】
【００５９】
１００  送信装置
１０１  制御部
１１０  送信部
１２０  アンテナ
１３０  アンテナ
１４０  受信部
１８０  電源部
２００  右用イヤーピース
２１０  アンテナ
２２０  受信部
２３０  信号処理部
２４０  電気音響変換素子
２５０  送信部
２６０  アンテナ
２８０  電源部
３００  左用イヤーピース
３１０  アンテナ
３２０  受信部
３３０  信号処理部
３４０  電気音響変換素子
３５０  送信部
３６０  アンテナ
３８０  電源部
【図１】
2008153736.tif 000003
【図２】
2008153736.tif 000004
【図３】
2008153736.tif 000005